(57)【特許請求の範囲】
【請求項１】
構造物のコーナー部分へのコンクリートの打設に使用されるコーナー用型枠であって、
少なくとも片面に面板を備えた２つの型枠パネルと、
前記２つの型枠パネルのそれぞれの面板がなす角度を変更可能なように、前記２つの型枠パネルを連結する蝶番と、
前記２つの型枠パネルのそれぞれの面板の間に着脱可能に装着され、前記構造物のコーナー部分を形成する曲がり部を備えたコーナー部材と、
前記２つの型枠パネルのそれぞれの面板がなす角度を固定する固定手段と、
を含んで構成され、
前記コーナー部材は、構造物のコーナー部分の形状に応じて複数の形状のものが用意されており、前記コーナー部分の形状に応じたものが選択されることを特徴とするコーナー用型枠。
【請求項２】
前記コーナー部材の曲がり部は、湾曲形状に形成されたことを特徴とする請求項１に記載のコーナー用型枠。
【請求項３】
前記コーナー部材の曲がり部は、円弧状に形成されたことを特徴とする請求項２に記載のコーナー用型枠。
【請求項４】
入角の形成に使用されるコーナー用型枠であって、
前記コーナー部材の曲がり部の曲率半径が、曲がり部の曲率円の中心から前記蝶番の支点までの距離より大きいことを特徴とする請求項３に記載のコーナー用型枠。
【請求項５】
出角の形成に使用されるコーナー用型枠であって、
前記コーナー部材の前記曲がり部の曲率半径が、曲がり部の曲率円の中心から前記蝶番までの距離より小さいことを特徴とする請求項３に記載のコーナー用型枠。
【請求項６】
前記コーナー部材の曲がり部は、屈曲して形成されたことを特徴とする請求項１に記載のコーナー用型枠。
【請求項７】
前記固定手段は、前記２つの型枠パネルと前記コーナー部材とを締結する締結部材を含んで構成されることを特徴とする請求項１〜６のいずれか１項に記載のコーナー用型枠。
【請求項８】
前記締結部材は、締結状態で前記コーナー部材と面一となる皿ネジを含んで構成されることを特徴とする請求項７に記載のコーナー用型枠。
【請求項９】
前記固定手段は、前記２つの型枠パネルと前記コーナー部材とを嵌合させる嵌合部材を含んで構成されることを特徴とする請求項１〜６のいずれか１項に記載のコーナー用型枠。
【請求項１０】
前記２つの型枠パネルは、それぞれ片面にのみ前記面板を備え、
前記固定手段は、前記２つの型枠パネルの前記面板と反対側同士を連結する連結部材を含んで構成されることを特徴とする請求項１〜６のいずれか１項に記載のコーナー用型枠。
【請求項１１】
前記連結部材は、その長さを調整可能な長さ調整手段を含んで構成されたことを特徴とする請求項１０に記載のコーナー用型枠。
【請求項１２】
前記２つの型枠パネルは、それぞれ両面に前記面板を備え、
前記コーナー部材は、前記２つの型枠パネルの一方の面の面板の間と、他方の面の面板の間とに、それぞれ着脱可能に装着されることを特徴とする請求項１〜９のいずれか１項に記載のコーナー用型枠。
【請求項１３】
前記型枠パネルと、前記蝶番の支点と、の間の距離を変更可能なことを特徴とする請求項１〜１２のいずれか１項に記載のコーナー用型枠。
【発明の詳細な説明】
【技術分野】
【０００１】
本発明は、構造物のコーナー部分へのコンクリートの打設に使用されるコーナー用型枠に関し、詳しくは、前記コーナー部分の角度を自由に設定することができるコーナー用型枠に関する。
【背景技術】
【０００２】
従来より、構造物を構築するためのコンクリートの打設には、金属製の型枠が使用されることがあった。特に、構造物のコーナー部分の打設に使用されるコーナー用型枠には、構造物のコーナー部分の角度に応じて、コーナー用型枠により形成される前記コーナー部分の角度を自由に設定することができるように構成されたものがあった。
【０００３】
このようなコーナー用型枠として、平面視長方形の面板と、該面板の背面の四方に立設された側板と、前記面板の背面で巾方向に沿って立設された補強板とを備えたものがあった。このコーナー用型枠は、長さ方向に沿った切断線を介して２つの型枠要素に分割されており、分割された少なくとも一方の型枠要素の補強板の先端部分が他方の型枠要素の補強板に向かって重なり合うように延設されており、この延設部に前記面板の切断線を中心とする円弧で形成された長孔が設けられており、該長孔にボルトナットが装着されていてこれにより前後の型枠要素が面板の切断線を支点として回動固定可能に形成されていた（例えば特許文献１参照）。
【先行技術文献】
【特許文献】
【０００４】
【特許文献１】実開平７−１９４９７号公報
【発明の概要】
【発明が解決しようとする課題】
【０００５】
しかし、前記従来のコーナー用型枠は、長さ方向に沿った切断線を介して２つの型枠要素に分割されているため、打設されたコンクリートの圧力が高い場合、前記２つの型枠要素の間の切断線部分が押し広げられ、成形されたコンクリートの寸法精度が低下するおそれがあった。
【０００６】
そこで、このような問題点に対処し、本発明が解決しようとする課題は、成形されたコンクリートの寸法精度の低下を抑制しつつ、構造物のコーナー部分の角度を自由に設定することができるコーナー用型枠を提供することにある。
【課題を解決するための手段】
【０００７】
前記課題を解決するために、本発明によるコーナー用型枠は、構造物のコーナー部分へのコンクリートの打設に使用されるコーナー用型枠であって、少なくとも片面に面板を備えた２つの型枠パネルと、前記２つの型枠パネルのそれぞれの面板がなす角度を変更可能なように、前記２つの型枠パネルを連結する蝶番と、前記２つの型枠パネルのそれぞれの面板の間に着脱可能に装着され、前記構造物のコーナー部分を形成する曲がり部を備えたコーナー部材と、前記２つの型枠パネルのそれぞれの面板がなす角度を固定する固定手段と、を含んで構成され、前記コーナー部材は、構造物のコーナー部分の形状に応じて複数の形状のものが用意されており、前記コーナー部分の形状に応じたものが選択されることを特徴とする。
【発明の効果】
【０００８】
本発明によるコーナー用型枠によれば、構造物のコーナー部分を形成するコーナー部材が一部材で構成されるため、打設されたコンクリートの圧力が高い場合であっても前記コーナー部分が変形し難い。したがって、成形されたコンクリートの寸法精度の低下を抑制することができる。
【０００９】
また、コンクリートのコーナー部分の所望の角度に応じたコーナー部材を装着することにより、前記コーナー部分の角度を自由に設定することができる。
【図面の簡単な説明】
【００１０】
【図１】本発明による入角用のコーナー用型枠の第１実施形態を示す斜視図である。
【図２】前記コーナー用型枠の折れ角度が０°の状態を示す正面図である。
【図３】図１のコーナー用型枠を示す平面図である。
【図４】前記コーナー用型枠のコーナー部材の装着部分を拡大して示す拡大平面図であり、（ａ）は型枠パネル１ａ側を、（ｂ）は型枠パネル１ｂ側を示す。
【図５】図１のコーナー用型枠の他の実施例を示す平面図である。
【図６】図１のコーナー用型枠の他の実施例を示す平面図である。
【図７】図１のコーナー用型枠の他の実施例を示す平面図である。
【図８】図１のコーナー用型枠の他の実施例を示す平面図である。
【図９】本発明によるコーナー用型枠の第２実施形態を示す斜視図である。
【図１０】図９のコーナー用型枠の型枠パネルと蝶番との接続部分を分解して示す分解斜視図である。
【図１１】図９のコーナー用型枠のコーナー部材の装着部分を拡大して示す拡大平面図である。
【図１２】図９のコーナー用型枠の折れ角度が０°の状態を示す正面図である。
【図１３】本発明によるコーナー用型枠の第３実施形態を示す斜視図である。
【図１４】図１３のコーナー用型枠を折り畳んだ状態を示す平面図である。
【図１５】図１３のコーナー用型枠のコーナー部材の装着部分を拡大して示す拡大平面図である。
【発明を実施するための形態】
【００１１】
以下、本発明の実施形態を添付図面に基づいて詳細に説明する。
まず、本発明によるコーナー用型枠の第１実施形態を図１〜４を参照して説明する。図１は本発明によるコーナー用型枠の第１実施形態を示す斜視図である。このコーナー用型枠は、構造物のコーナー部分へのコンクリートの打設に使用され、構造物の直線部分を形成する他の型枠パネルと接続されて、構造物の内壁の入角（入隅）を形成する。このコーナー用型枠は、２つの型枠パネル１と、蝶番２と、コーナー部材３と、固定手段４と、を含んで構成される。
【００１２】
前記型枠パネル１は、コーナー用型枠の両翼を構成する鋼製の堰板であって、面板１１と、枠板１２と、補強板１３とを備える。コーナー用型枠の両翼を構成する２つの型枠パネル１は、コーナー用型枠の中央部に配置された蝶番２により連結されている。
【００１３】
前記面板１１は、型枠パネル１の一方の面に配置された長方形の鋼板である。２つの型枠パネル１は、コーナー用型枠を使用してコンクリートを打設する際に、それぞれの面板１１が、打設されたコンクリートと接する１つの面を形成するように配置され、面板１１の表面は、打設されたコンクリートと接してコンクリートの表面を形成する。
【００１４】
枠板１２は、面板１１の背面（すなわち打設されたコンクリートと接する面と反対側の面）に、長方形の面板１１の外周を取り囲むように、面板１１と垂直な方向に延設されている。枠板１２は、面板１１を背面から支持し、コーナー用型枠を使用してコンクリートを打設する際に、面板１１がコンクリートから受けた圧力により歪曲するのを妨げる。
【００１５】
図２は、本実施形態によるコーナー用型枠を、２つの型枠パネル１のそれぞれの面板１１が同一平面上に並ぶように広げた状態（後述する折れ角度θが０°の状態）を面板１１の背面側（すなわち、図１の手前側）から見た正面図である。図２に示すように、枠板１２は、一対の平行な横板１２ａ，１２ｂと、前記横板１２ａ，１２ｂと垂直に配置された一対の平行な縦板１２ｃ，１２ｄと、から平面視長方形に形成されている。
【００１６】
コーナー用型枠の一方（図２の左側）の型枠パネル１ａは、枠板１２の縦板１２ｄと蝶番２とが接続され、他方（図２の右側）の型枠パネル１ｂは、枠板１２の縦板１２ｃと蝶番２とが接続されている。なお、ここではコーナー用型枠の構成を詳細に説明するべく、２つの型枠パネル１を型枠パネル１ａ，１ｂと区別して説明した。しかし、特に断りがない限り、型枠パネル１といった場合には、前記型枠パネル１ａ，１ｂの両方を示す。後述する支持部材４１についても同様である。
【００１７】
前記補強板１３は、正面視長方形の枠板１２の内側に配置された鋼板であり、枠板１２の横板１２ａ，１２ｂと平行に通常３０ｃｍ間隔で配置されている。補強板１３は、枠板１２と同様、面板１１を背面から支持するとともに、枠板１２を内側から支持して枠板１２の歪曲を妨げる。
【００１８】
前記蝶番２は、図３に示すように、２つの型枠パネル１のそれぞれの面板１１がなす角度（以下、「折れ角度」という。）θを変更可能なように２つの型枠パネル１を接続する。蝶番２は、コーナー用型枠の中央部に配置されており、２枚のフランジ部２１と、前記２枚のフランジ部２１を回動可能に接続する軸部２２とを備える。
【００１９】
フランジ部２１は、図２に示すように、略長方形の板状に形成されており、一方の端部は軸部２２に接続され、他方の端部２３は型枠パネル１の枠板１２に接続されている。２つのフランジ部２１のうち、一方（図２の左側）のフランジ部２１の端部２３は、前記型枠パネル１ａの縦板１２ｄと溶接されており、他方（図２の右側）のフランジ部２１の端部２３は、前記型枠パネル１ｂの縦板１２ｃと溶接されている。
【００２０】
２つの型枠パネル１と蝶番２のフランジ部２１との（蝶番２の軸部２２と平行な方向の）長さは略等しい。フランジ部２１の軸部２２と垂直な方向の長さ（すなわち、軸部２１の中心から枠板１２までの長さ。以下、「フランジ長」という。）Ｆは、例えば１００ｍｍとすることができる。
【００２１】
図３に示すように、型枠パネル１と蝶番２とは、型枠パネル１の面板１１とフランジ部２１とが平行になるように接続される。すなわち、フランジ部２１は、型枠パネル１の枠板１２に対して垂直に接続される。したがって、２つのフランジ部２１がなす角度は、前記折れ角度θに等しくなる。折れ角度θは、例えば０°〜９０°の範囲で選択することができる。
【００２２】
前記コーナー部材３は、２つの型枠パネル１のそれぞれの面板１１の間に着脱可能に装着される鋼板である。コーナー部材３は、構造物のコーナー部分の形状に応じて複数の形状のものが用意されており、コーナー用型枠を使用する際には、前記コーナー部分の形状に応じたコーナー部材３が選択され、型枠パネル１に装着される。コーナー部材３が型枠パネル１に装着されると、面板１１の表面とコーナー部材３の表面とが１つの面を形成し、構造物のコーナー部分（入角）を形成する。したがって、コーナー部材３は、面板１１の表面とコーナー部材３の表面とが滑らかに連続するように形成されるのが好ましい。
【００２３】
コーナー部材３は、構造物のコーナー部分の形状に応じた曲がり部３１を備える。本実施形態において、曲がり部３１は、コーナー部材３の全幅に亘って円弧状に形成されている。図３に示すように、円弧状に形成された曲がり部３１は、その曲率半径Ｒが、曲がり部３１の曲率円の中心Ｃから蝶番２の支点である軸部２２までの距離（以下、「支点距離」という。）Ｌより、大きくなるように形成されている。すなわち、Ｒ＞Ｌという関係が成り立つ。
【００２４】
ここで、支点距離Ｌは、フランジ長Ｆと折れ角度θとによりＬ＝Ｆ／sin（θ／２）と表される。上記の通り、Ｒ＞Ｌであるから、Ｒ＞Ｆ／sin（θ／２）という関係が成り立つ。すなわち、曲がり部３１の曲率半径Ｒは、フランジ長Ｆが大きくなるにつれて大きくなる。また、折れ角度θが０°＜θ≦９０°の範囲において、曲率半径Ｒは、θが大きくなる（すなわち、sinθが大きくなる）につれて小さくなる。
【００２５】
前記固定手段４は、コーナー用型枠の折れ角度θを固定するものである。本実施形態において、固定手段４は、２つの型枠パネル１とコーナー部材３とを固定することにより、折れ角度θを固定する。固定手段４は、支持部材４１と、皿ネジ４２とを含んで構成される。
【００２６】
前記支持部材４１は、図３に示すように、型枠パネル１の枠板１２から面板１１と平行な方向に設けられており、コーナー部材３を型枠パネル１の面板１１と垂直な方向に支持する。
【００２７】
図４は、コーナー用型枠のコーナー部材３の装着部分を拡大して示す拡大平面図である。図４において、蝶番２は図示省略されている。図４（ａ）に示すように、型枠パネル１ａに設けられた支持部材４１ａは、型枠パネル１ａの縦板１２ｄに溶接されている。また同様に、図４（ｂ）に示すように、型枠パネル１ｂに設けられた支持部材４１ｂは、型枠パネル１ｂの縦板１２ｃに溶接されている。このような構成により、支持部材４１は、コーナー部材３の背面と当接して、コーナー部材３を背面側から表面側へと支持する。
【００２８】
支持部材４１は、コーナー部材３の背面との当接面が、型枠パネル１の面板１１の表面から所定距離だけ離間するように配置されている。前記所定距離は、コーナー部材３の厚さに略等しい。これにより、面板１１の表面とコーナー部材３の表面とが滑らかに連続するように、コーナー部材３を型枠パネル１に装着することができる。
【００２９】
前記皿ネジ４２は、本発明における締結部材であり、２つの型枠パネル１に設けられた支持部材４１とコーナー部材３とを締結する。なお、本発明における締結部材は皿ネジ４２に限られず、皿ネジ以外のネジや、ボルト・ナットであってもよい。皿ネジ４２は、支持部材４１とコーナー部材３とが当接した部分に、コーナー部材３の表面側（すなわち、コンクリートの打設側）から挿通される。皿ネジ４２は、型枠パネル１とコーナー部材３とを締結した状態において、コーナー部材３の表面と面一となる。
【００３０】
次に、このように構成されたコーナー用型枠の使用態様について説明する。
まず、コーナー用型枠を使用して形成される構造物のコーナー部分（入角）の形状に応じて、コーナー部材３の形状が選択される。選択された形状を有するコーナー部材３と、このコーナー部材３が装着される２つの型枠パネル１及び蝶番２とが、コンクリートが打設される作業現場に搬入される。この際、２つの型枠パネル１は蝶番２により連結された状態で搬入される。コーナー部材３は、型枠パネル１に装着されない状態で搬入することができる。
【００３１】
次に、搬入された型枠パネル１、蝶番２とコーナー部材３は、作業現場で組み立てられる。具体的には、蝶番２により連結された２つの型枠パネル１の折れ角度θが所望の角度となるように調整され、２つの型枠パネル１のそれぞれの面板１１の間に、コーナー部材３が装着される。そして、コンクリートの打設側からコーナー部材３と支持部材４１とに皿ネジ４２が挿通され、型枠パネル１とコーナー部材３とが固定される。これにより、コーナー用型枠の折れ角度θが固定され、コーナー用型枠の組立てが完了する。
【００３２】
最後に、組み立てられたコーナー用型枠は、コンクリートが打設される所定の位置に設置され、構造物のコーナー部分以外を形成するための他の型枠と接続され、型枠全体が完成する。完成した型枠は支保工により固定され、コンクリートが打設される。
【００３３】
打設されたコンクリートが硬化した後、コーナー用型枠は、支保工を取り外され、前記他の型枠から分離される。前記分離の後、コーナー用型枠は、皿ネジ４２を抜き取られ、コーナー部材３を取り外されて解体される。解体されたコーナー用型枠は、作業現場から搬出される。
【００３４】
本実施形態によるコーナー用型枠は、少なくとも片面に面板１１を備えた２つの型枠パネル１と、前記２つの型枠パネル１のそれぞれの面板１１がなす角度θを変更可能なように、前記２つの型枠パネル１を連結する蝶番２と、前記２つの型枠パネル１のそれぞれの面板１１の間に着脱可能に装着され、前記構造物のコーナー部分を形成する曲がり部３１を備えたコーナー部材３と、前記２つの型枠パネル１のそれぞれの面板１１がなす角度θを固定する固定手段４と、を含んで構成されるため、１枚の鋼板であるコーナー部材３により構造物のコーナー部分を形成することができる。したがって、打設されたコンクリートの圧力が高い場合であっても、コーナー部分に隙間が生じず、変形し難く、コンクリートの寸法精度の低下を抑制することができる。また、コンクリートのコーナー部分の所望の角度に応じたコーナー部材３を装着することにより、前記コーナー部分の角度を自由に設定することができる。
【００３５】
また、本実施形態によれば、コーナー部材３の曲がり部３１は湾曲形状、特に円弧状に形成されているため、構造物のコーナー部分を滑らかな曲面に仕上げることができる。
【００３６】
また、本実施形態によるコーナー用型枠は入角の形成に使用されるものであって、コーナー部材３の曲がり部３１の曲率半径Ｒが、曲がり部３１の曲率円の中心Ｃから蝶番２の支点（軸部２２）までの距離（支点距離Ｌ）より大きいため、コーナー部材３を蝶番２と接触せずに型枠パネル１に所定の位置で装着することができる。
【００３７】
また、本実施形態によれば、固定手段４は、２つの型枠パネル１とコーナー部材３とを締結する締結部材（皿ネジ４２）を含んで構成されるため、この締結部材により型枠パネル１とコーナー部材３とを締結することにより、型枠パネル１とコーナー部材３との位置ずれを防止し、折れ角度θを確実に固定することができる。
【００３８】
また、本実施形態によれば、締結部材は締結状態でコーナー部材３と面一となる皿ネジ４２であるため、打設されたコンクリートの表面に凹凸が生じるのを避けることができる。
【００３９】
なお、本実施形態において、支持部材４１は、枠板１２と一体に形成されてもよい。また、コーナー部材３の曲がり部３１の形状に沿う形状とされてもよい。さらに、型枠パネル１の面板１１は、型枠パネル１の両面にそれぞれ設けられてもよい。
【００４０】
次に、本実施形態の他の実施例について、図５〜８を参照して説明する。
図５に示すコーナー用型枠は、構造物の外壁の出角（出隅）の形成に使用される。本実施例のコーナー部材３は、コーナー部材３の全幅に亘って円弧状に形成された曲がり部３１を備える。本実施例において、型枠パネル１は、コーナー用型枠を入角用に使用する場合と反対側に、蝶番２の軸部２２を支点にして所定角度回動して配置されている。
【００４１】
円弧状に形成された曲がり部３１は、その曲率半径Ｒが、曲がり部３１の曲率円の中心Ｃから蝶番２までの距離（以下、「蝶番距離」という。）Ｍより、小さくなるように形成されている。すなわち、Ｒ＜Ｍの関係が成り立つ。
【００４２】
本実施例によるコーナー用型枠は、出角の形成に使用されるものであって、コーナー部材３の曲がり部３１の曲率半径Ｒが、曲がり部３１の曲率円の中心Ｃから蝶番２までの距離（蝶番距離Ｍ）より小さいため、コーナー部材３を、蝶番２と接触することなく型枠パネル１に所定位置で装着することができる。
【００４３】
なお、ここでいう蝶番距離Ｍとは、曲率円の中心Ｃから蝶番２のうち最も中心Ｃに近い部分までの距離をいう。本実施例においては、蝶番距離Ｍは、中心Ｃから蝶番２と型枠パネル１との接続部分までの距離となる。
【００４４】
図６に示すコーナー用型枠は、入角用に使用される。コーナー部材３は、平面視直線状に形成された両翼部分３２と円弧状に形成された曲がり部３１とを含んで構成される。本実施例によるコーナー部材３は、両翼部分３２の長さを変更することにより、曲がり部３１の曲率半径Ｒを変化させることができる。このコーナー部材３は、出角用に使用されてもよい。
【００４５】
図７に示すコーナー用型枠は、入角用に使用される。コーナー部材３は、平面視直線状の両翼部分３２と両翼部分３２が交差する屈曲した曲がり部３１とを備える。なお、このコーナー部材３は、出角用に使用されてもよい。
【００４６】
本実施例によれば、コーナー部材３の曲がり部３１が屈曲して形成されているため、構造物のコーナー部分を適当な角部を残して形成することができる。
【００４７】
図８に示すコーナー用型枠は、２つの型枠パネル１の両面に面板１１を備え、両面にコーナー部材３を装着されている。固定手段４（すなわち、支持部材４１及び皿ネジ４２）も同様に、型枠パネルの両面側に設けられている。本実施例によるコーナー用型枠は、入角・出角の両方の形成に使用することができる。
【００４８】
本実施例によれば、２つの型枠パネル１は、それぞれ両面に前記面板１１を備え、コーナー部材３は、２つの型枠パネル１の一方の面の面板１１の間と、他方の面の面板１１の間とに、それぞれ着脱可能に装着されるため、型枠パネル１とコーナー部材３とをより確実に固定することができる。したがって、折れ角度θを確実に固定することができる。
【００４９】
次に本発明によるコーナー用型枠の第２実施形態を図９〜１２を参照して説明する。図９は本発明によるコーナー用型枠の第２実施形態を示す斜視図である。このコーナー用型枠は、入角用のコーナー用型枠であり、型枠パネル１と、蝶番２と、コーナー部材３と、固定手段４と、を含んで構成される。
【００５０】
前記型枠パネル１は、面板１１と、枠板１２と、補強板１３と、支持部材４１と、接続部１４と、連結部１５とを含んで構成される。型枠パネル１は、片面に面板１１を備えており、面板１１と反対側に接続部１４が設けられている。接続部１４は、図９に示すように、型枠パネル１の補強板１３から型枠パネル１と垂直な方向に延設されている。
【００５１】
前記連結部１５は、型枠パネル１と蝶番２とを接続する部分であり、型枠パネル１の枠板１２から面板１１と平行に延設されている。連結部１５は、図１０に示すように、蝶番２と接続するための複数のボルト孔１６を有する。ボルト孔１６は、蝶番２の軸部２２と垂直な方向に間隔をあけて設けられている。
【００５２】
前記蝶番２は、型枠パネル１の連結部１５と接続するために、フランジ２１に複数のボルト孔２４を有する。型枠パネル１と蝶番２とは、ボルト孔１６，２４にボルトを挿通し、ナットを締めることにより接続される。したがって、本実施形態によるコーナー用型枠は、接続するボルト孔１６，２４の位置を選択することにより、型枠パネル１と蝶番２の軸部２２との間の距離を変更することができる。本実施形態において、前記距離が第１実施形態におけるフランジ長さＦとなる。
【００５３】
前記コーナー部材３は、型枠パネル１に設けられた支持部材４１が嵌合する嵌合部材３３を備える。嵌合部材３３は、型枠パネル１とコーナー部材３とを嵌合させることにより、折れ角度θを固定する固定手段４である。嵌合部材３３は、図１１に示すように、コーナー部材３の背面に設けられており、コーナー部材３と当接した支持部材４１が嵌合する。
【００５４】
前記固定手段４は、連結部材４３をさらに備える。連結部材４３は、図１２に示すように、２つの型枠パネル１のそれぞれの面板１１と反対側同士を連結する棒状部材である。連結部材４３の中央部には、連結部材４３の長さを調整可能な長さ調整手段として、ターンバックル４４が配置されている。連結部材４３は、２つの型枠パネル１のそれぞれに設けられた前記接続部１４に、ボルト止めにより固定される。
【００５５】
以上説明した本実施形態によるコーナー用型枠は、出角用のコーナー部材３を選択することにより、出角用のコーナー用型枠として使用することができる。その際、連結部材４３は、コーナー部材３の背面側を回りこむように屈曲又は湾曲して形成される。
【００５６】
本実施形態によれば、固定手段４は、２つの型枠パネル１とコーナー部材３とを嵌合させる嵌合部材３３を含んで構成されるため、締結手段や工具を必要とすることなく、型枠パネル１とコーナー部材３とを容易に接続し、折れ角度θを固定することができる。
【００５７】
また、本実施形態によれば、２つの型枠パネル１は、それぞれ片面にのみ面板１１を備え、固定手段４は、２つの型枠パネル１の面板１１と反対側同士を連結する連結部材４３を含んで構成されるため、コーナー用型枠の折れ角度θを確実に固定することができる。
【００５８】
また、本実施形態によれば、連結部材４３は、その長さを調整可能な長さ調整手段（ターンバックル４４）を含んで構成されるため、折れ角度θが異なる様々なコーナー用型枠に対して使用することができる。
【００５９】
また、本実施形態によれば、型枠パネル１と、蝶番２の支点（軸部２２）と、の間の距離を変更可能なため、大きさが異なる様々なコーナー部材３に対して、共通の型枠パネル１と蝶番２とを使用することができる。
【００６０】
なお、本実施形態において、型枠パネル１の連結部１５に形成されたボルト孔１６は、蝶番２の軸部２２と垂直な方向に長い長孔であってもよい。また、蝶番２のボルト孔２４は、軸部２２と垂直な方向に間隔をあけて設けられてもよい。さらに、連結部材４３は、長さ調整手段を含まなくてもよいし、長さ調整手段はターンバックル４４以外であってもよい。連結部材４３は、型枠パネル１の接続部１４ではなく、補強板１３に直接連結されてもよい。
【００６１】
さらに、本発明によるコーナー用型枠の第３実施形態を図１３〜１５を参照して説明する。図１３は本発明によるコーナー用型枠の第３実施形態を示す斜視図である。このコーナー用型枠は、入角用のコーナー用型枠であり、型枠パネル１と、蝶番２と、コーナー部材３と、固定手段４と、を含んで構成される。
【００６２】
前記型枠パネル１は、面板１１と、枠板１２と、補強板１３と、連結部１５とを備える。本実施形態おいて、面板１１は、型枠パネル１の片面に設けられており、連結部１５は、面板１１と反対側の面の一部を覆うように設けられている。連結部１５には、蝶番２と接続するための複数のボルト孔（図示省略）が形成されている。
【００６３】
前記蝶番２は、型枠パネル１よりも、蝶番２の軸部２２と平行な方向の長さが短く形成されている。蝶番２は、複数のボルト孔（図示省略）を有しており、型枠パネル１のボルト孔と蝶番２のボルト孔とをボルト止めすることにより、型枠パネル１と蝶番２とが接続されている。本実施形態において、連結部１５は型枠パネル１の片面に設けられているため、コーナー用型枠は、図１４に示すように、コーナー部材３を取り外した状態で、略完全に折り畳むことができる。したがって、本実施形態によるコーナー用型枠は、コンパクトに収納し、運搬や保管を行うことができる。
【００６４】
前記コーナー部材３には、当接部３４が形成されている。当接部３４は、図１５に示すように、型枠パネル１と当接するようにコーナー部材３の端部に屈曲して形成されており、折れ角度θを固定する固定手段４としての役割を果たす。当接部３４は、型枠パネル１の枠板１２と当接してボルト止めされる。
【００６５】
以上説明した本実施形態によるコーナー用型枠は、出角用のコーナー部材３を選択することにより、出角用のコーナー用型枠として使用することができる。また、型枠パネル１の連結部１５は、面板１１と反対側の面の全面を覆うように設けられてもよい。
【００６６】
さらに、コーナー部材３は、装着・取り外しが容易であるため、本発明によるコーナー用型枠は、作業現場にて容易に組み立て・解体を行うことができる。
【００６７】
なお、本発明によるコーナー用型枠において、型枠パネル１、蝶番２、コーナー部材３の各部の寸法及びコーナー用型枠の折れ角度θは、構造物のコーナー部分の形状に応じて選択することができる。特に、コーナー部材３の曲がり部３１の形状は、円弧状や屈曲形状に限られず、構造物のコーナー部分の形状に応じて放物線状等の任意の湾曲形状とすることができる。型枠パネル１の枠板１２には、他の型枠パネルと接続するための接続孔が形成されていてもよい。型枠パネル１の補強板１３の枚数、配置、間隔は任意に選択することができる。蝶番２を型枠パネル１の枠板１２に対して接続する角度は垂直でなくてもよく、例えば４５°傾斜して接続されてもよい。本発明によるコーナー用型枠は、縦使い及び横使いのいずれでも使用することができる。
【符号の説明】
【００６８】
１，１ａ，１ｂ…型枠パネル
１１…面板
１２…枠板
１２ａ，１２ｂ…横板
１２ｃ，１２ｄ…縦板
１３…補強板
１４…接続部
１５…連結部
１６…ボルト孔
２…蝶番
２１…フランジ部
２２…軸部
２３…フランジ部の端部
２４…ボルト孔
３…コーナー部材
３１…曲がり部
３２…両翼部分
３３…嵌合部材
３４…当接部
４…固定手段
４１，４１ａ，４１ｂ…支持部材
４２…皿ネジ
４３…連結部材
４４…ターンバックル
θ…折れ角度
Ｒ…曲率半径
Ｃ…曲率円の中心
Ｍ…蝶番距離
Ｌ…支点距離
Ｆ…フランジ長
【図１】
0005876300.tif 000002
【図２】
0005876300.tif 000003
【図３】
0005876300.tif 000004
【図４】
0005876300.tif 000005
【図５】
0005876300.tif 000006
【図６】
0005876300.tif 000007
【図７】
0005876300.tif 000008
【図８】
0005876300.tif 000009
【図９】
0005876300.tif 000010
【図１０】
0005876300.tif 000011
【図１１】
0005876300.tif 000012
【図１２】
0005876300.tif 000013
【図１３】
0005876300.tif 000014
【図１４】
0005876300.tif 000015
【図１５】
0005876300.tif 000016